(57)【要約】【課題】  取り扱い性、お手入れ性がよく水の噴射による負イオンの供給ができ、家庭でも水回りの問題なく簡単に使用できるようにする。【解決手段】  本体５内の上部にファン６を、下部に上向きに水７を噴射するノズル８を、これらファン６およびノズル８の間の、ファン６による対象環境雰囲気３を吸引した後対象環境雰囲気３中に排気する通風径路９の途中に、ノズル８からの噴射水１１を衝突させる衝突部材１２を、それぞれ設け、水７の噴射、衝突による分裂で生じた負イオン１を含む噴射水雰囲気１６をファン６により対象環境雰囲気３中に吹き出させて対象環境雰囲気３を改善することにより、上記の目的を達成する。【選択図】  図１ 
2005055065.tif 000002
【特許請求の範囲】
【請求項１】
本体内の上部にファンを、下部に上向きに水を噴射するノズルを、これらファンおよびノズルの間の、前記ファンによる対象環境雰囲気を吸引した後対象環境雰囲気中に排気する通風径路の途中に、前記ノズルからの噴射水を衝突させる衝突部材を、それぞれ設け、水の噴射、衝突による分裂で生じた負イオンを含む噴射水雰囲気をファンにより対象環境雰囲気中に吹き出させて対象環境雰囲気を改善するようにしたことを特徴とする環境雰囲気改善機。
【請求項２】
本体内の上部にファンを、下部に上向きに水を噴射するノズルを、これらファンおよびノズルの間の、前記ファンによる対象環境雰囲気を吸引した後対象環境雰囲気中に排気する通風径路の途中に、前記ノズルからの噴射水を衝突させる衝突部材を、それぞれ設け、ノズルからの噴射域まわりで少なくとも噴射水を吸収またはおよび付着させて前記ファンによる通気や通風に曝して気化を図る気化促進部材を備え、水の噴射、衝突による分裂で生じた負イオンを含む噴射水雰囲気ととも噴射水の気化蒸気をファンにより対象環境雰囲気中に吹き出させて対象環境雰囲気を改善するようにしたことを特徴とする環境雰囲気改善機。
【請求項３】
気化促進部材は、着脱できる請求項２に記載の環境雰囲気改善機。
【請求項４】
ノズルからの噴射域を囲い、ファンによる通風の導入口を下部に、通風の導出口を上部に有した噴射室を備え、この噴射室の導出口に、この導出口との間に通風の導出通路を残して、前記衝突部材を設けた請求項１〜３のいずれか１項に記載の環境雰囲気改善機。
【請求項５】
衝突部材は、導出口の大きさにほぼ等しいか、それよりも大きく、導出口の下に位置して導出口との上下間で導出通路を形成している請求項４に記載の環境雰囲気改善機。
【請求項６】
気化促進部材は、噴射室内周と衝突部材との間の環状空間にある請求項２〜５のいずれか１項に記載の環境雰囲気改善機。
【請求項７】
本体は上下部材に分割され、ファンは上部材に、ノズルは下部材にそれぞれ設けられている請求項１〜６のいずれか１項に記載の環境雰囲気改善機。
【請求項８】
衝突部材、気化促進部材、噴射室は下部材にある請求項７に記載の環境雰囲気改善機。
【請求項９】
噴射域下の貯水パンにノズルを装備した水回りユニットを、下部材に対し着脱できるように設けた請求項７、８のいずれか１項に記載の環境雰囲気改善機。
【請求項１０】
噴射域下の貯水パンにノズルと貯水パンから吸水を図るポンプとを装備した水回りユニットを、下部材に対し着脱できるように設け、ポンプと下部材に設けた駆動モータとに前記着脱に伴い互いが断接する断接カップリングを備えた請求項７、８のいずれか１項に記載の環境雰囲気改善機。
【請求項１１】
水回りユニットは吸水タンクとの接続部を本体外に臨んで有している請求項９、１０のいずれか１項に記載の環境雰囲気改善機。
【発明の詳細な説明】
【技術分野】
【０００１】
本発明は環境雰囲気改善機に関し、詳しくは、噴射ノズルからの噴射水によって生じる負イオンを環境雰囲気中に供給して改善を図り、さらには、加湿による環境雰囲気の改善も図れる環境雰囲気改善機に関するものである。
【背景技術】
【０００２】
従来、ノズルを用いた加湿機は知られている（例えば、特許文献１参照。）。このものは、一般家庭用の据え置き型の加湿機では洋ランなどの植物に必要な湿度環境を与えるのに不便な点を改善したもので、手提げハンドルを持ったハンディタイプの本体部から加湿対象に個別に向けられるように送風系が延び、この送風系におけるディフューザ型やノズル型をした吹出口構造部より上流側の内部に、本体部にある給水系の導水パイプをノズルによって開口させている。これにより、指向性のある送風にて洋ランの葉などの表面のゴミや埃を除去した後、給水系からノズルによりミスト化した給水を行って加湿するといったことができ、加湿による水分が葉の表面に付着しやすくなる。
【０００３】
一方、ノズルを用い水を分裂させて負イオンを発生させ、空気清浄を図ったり（例えば、特許文献２、３参照。）、医療に供したりする（例えば、特許文献４参照。）環境雰囲気の改善技術が知られている。
【０００４】
このような従来知られた技術から、負イオンを供給したり、負イオンを伴った加湿が行える室内環境などの環境雰囲気改善機を提供することが考えられる。そこで、本出願人は負イオンの発生機能を単独に生かしながら、必要に応じ負イオン発生機構による加湿もできる汎用性のある加湿機を先に提案している。
【特許文献１】特開平  ２−２１３６３２号公報
【特許文献２】特開平  ８−２１５３０９号公報
【特許文献３】特開平１０−１４１７１８号公報
【特許文献４】特開平  ４−１４１１７９号公報
【発明の開示】
【発明が解決しようとする課題】
【０００５】
しかし、水の噴射による負イオンの供給には、ノズルからの水の噴射と、その噴射水雰囲気を対象となる環境雰囲気中へ送風によって供給することが必須で、先の提案に係るものは電気装備と水回りとが本体内で混在していて、家庭で水回りの問題なく簡単に使用されるようにするには、取り扱い性やお手入れ性の面でなお問題がある。
【０００６】
本発明の目的は、取り扱い性、お手入れ性がよく水の噴射による負イオンの供給ができ、家庭でも水回りの問題なく簡単に使用できる環境雰囲気改善機を提供することにある。
【課題を解決するための手段】
【０００７】
上記のような目的を達成するために、本発明の環境雰囲気改善機は、本体内の上部にファンを、下部に上向きに水を噴射するノズルを、これらファンおよびノズルの間の、前記ファンによる対象環境雰囲気を吸引した後対象環境雰囲気中に排気する通風径路の途中に、前記ノズルからの噴射水を衝突させる衝突部材を、それぞれ設け、水の噴射、衝突による分裂で生じた負イオンを含む噴射水雰囲気をファンにより対象環境雰囲気中に吹き出させて対象環境雰囲気を改善するようにしたことを１つの特徴としている。
【０００８】
このような構成では、本体下部にてノズルが上向きに水を噴射させて衝突部材に衝突させることにより、本体下部の衝突部材の設置位置にて制限される限られたスペースにて水の噴射と高い確度での衝突とを図って水の分裂による負イオンを効率よく多量に発生させ、この発生した負イオンをファンにより吸引され排気される対象環境雰囲気に乗じ対象環境雰囲気中に供給し対象環境雰囲気を改善するのに併せ、噴射水の衝突部材への衝突による噴射水のファン側へのバイパス防止により、噴射水が粒の粗いまま直接排気されるようなことを防止することができる。しかも、ノズルや水の噴射域を含む水回りが本体の下部に位置して本体上部のファンやその制御部などがなす電気装備に水が及びにくくしながら、水やその飛沫などの自然な落下や流下、伝い落ちを利用した取り扱いを複雑化しない水気への対応ができ、お手入れも簡単なものとなる。
【０００９】
また、本発明の環境雰囲気改善機は、本体内の上部にファンを、下部に上向きに水を噴射するノズルを、これらファンおよびノズルの間の、前記ファンによる対象環境雰囲気を吸引した後対象環境雰囲気中に排気する通風径路の途中に、前記ノズルからの噴射水を衝突させる衝突部材を、それぞれ設け、ノズルからの噴射域まわりで少なくとも噴射水を吸収またはおよび付着させて前記ファンによる通気や通風に曝して気化を図る気化促進部材を備え、水の噴射、衝突による分裂で生じた負イオンを含む噴射水雰囲気ととも噴射水の気化蒸気をファンにより対象環境雰囲気中に吹き出させて対象環境雰囲気を改善するようにしたことを他の特徴としている。
【００１０】
このような構成では、本体下部にてノズルが上向きに水を噴射させて衝突部材に衝突させることにより、本体下部の衝突部材の設置位置にて制限される限られたスペースにて水の噴射と高い確度での衝突とを図って水の分裂による負イオンを効率よく多量に発生させると共に、ノズルの噴射域まわりの気化促進部材によって少なくとも噴射水を吸収またはおよび付着させてファンによる通気や通風に曝して気化させ、これら発生した負イオンおよび気化した蒸気をファンにより吸引され排気される対象環境雰囲気に乗じ対象環境雰囲気中に供給し対象環境雰囲気を改善するのに併せ、噴射水の衝突部材への衝突による噴射水のファン側へのバイパス防止により、噴射水が粒の粗いまま直接排気されるようなことを防止することができる。しかも、ノズルや水の噴射域を含む水回りが本体の下部に位置して本体上部のファンやその制御部などがなす電気装備に水が及びにくくしながら、水やその飛沫などの自然な落下や流下、伝い落ちを利用した取り扱いを複雑化しない水気への対応ができ、お手入れも簡単なものとなる。
【００１１】
気化促進部材が、着脱できる、さらなる構成では、
負イオンに加え気化蒸気をも供給する改善機能と、気化蒸気の供給を省略した改善機能との２つのモードを選択した使用ができる。しかも、気化促進部材は気化促進のために採る吸湿構造やファンによる通風との接触面積を多くする多面構造などによって汚れやすいが、着脱により丸洗いや交換ができる。
【００１２】
ノズルの噴射域を囲い、ファンによる通風の導入口を下部に、通風の導出口を上部に有した噴射室を備え、この噴射室の導出口に、この導出口との間に通風の導出通路を残して、前記衝突部材を設けた、さらなる構成では、
噴射水および噴射水雰囲気の広がりを噴射室による限られた空間内に抑えて、ファンにより吸引され排気される対象環境雰囲気が通ることで、噴射雰囲気の随伴率を高めるのと同時に、ほぼ均等に随伴させて対象環境雰囲気中に供給することができる。しかも、衝突部材が噴射室の導出口との間の導出通路を噴射室よりも狭めることにより、噴射水のファン側へのバイパスをより防止しやすくなる。
【００１３】
衝突部材が、導出口の大きさにほぼ等しいか、それよりも大きく、導出口の下に位置して導出口との上下間で導出通路を形成している、さらなる構成では、
衝突部材と噴射室の導出口とが、噴射水の噴射勢力によるファン側へのバイパス経路を断つので、噴射水のファン側へのバイパスを確実に防止することができる。
【００１４】
気化促進部材が、噴射室内周と衝突部材との間の環状空間にある、さらなる構成では、
噴射室内に吸引された対象環境雰囲気が導出口へ向かう経路に位置するので、吸収し、付着させた噴射水などをファンによる通気や通風に確実に曝せるので効率よく気化させて、しかも、対象環境雰囲気の排気に乗じさせやすくすることができる。
【００１５】
本体が上下部材に分割され、ファンが上部材に、ノズルが下部材にそれぞれ設けられている、さらなる構成では、
水回りを持った下部材をファン駆動やその制御のために電気装備を持った上部材から切り離して取り扱えるので、電気装備に関係なく丸洗いすることができる。
【００１６】
衝突部材、気化促進部材、噴射室は下部材にある、さらなる構成では、
衝突部材、気化促進部材、噴射室のそれぞれは水回り部品であるが、下部材側で丸洗いなどできるようになる。
【００１７】
噴射域下の貯水パンにノズルを装備した水回りユニットを、下部材に対し着脱できるように設けた、さらなる構成では、
噴射域下の貯水パンは水回りの最下部材をなして、水回りにて取り扱い発生するあらゆる水気を受けて利用しやすく、また処理しやすくしながら、ノズルと一体に着脱できて取り扱い部品点数を少なくすることができる。
【００１８】
噴射域下の貯水パンにノズルと貯水パンから吸水を図るポンプとを装備した水回りユニットを、下部材に対し着脱できるように設け、ポンプと下部材に設けた駆動モータとに前記着脱に伴い互いが断接する断接カップリングを備えた、さらなる構成では、
水回りユニットは、噴射域下の貯水パンが水回りの最下部材をなして上側の水回りにて取り扱い発生するあらゆる水気を受けてまわりへの影響なく使用またはおよび処理できるようにするのに併せ、ノズルは上水道との接続によって電気装備なしに水の噴射ができるものの、ポンプをもノズルとともに備えて一体に着脱できるようにして取り扱い部品点数を少なくしている。同時に、ポンプは貯水パンから吸水する引き回しが短く簡単な配管によってノズルに給水し噴射させられる。特に、ポンプを駆動するために必要となる駆動モータは下部材側にあって、ポンプとは、貯水パンの下部材に対する着脱に伴い、断接カップリングによって断接させるので、水回りユニットの貯水パンによって水回り側から駆動モータ側の電気装備を隔絶して水が及んだりするのを防止しながら、水回りユニットは電気装備を下部材側に残して単独に取り外し丸洗いなどできるようにする。
【００１９】
水回りユニットは吸水タンクとの接続部を本体外に臨んで有している、さらなる構成では、
水回りユニットは本体外から貯水パンに接続した給水タンクから直接給水を受けてポンプに供給することができるので、ポンプへの給水構造が簡略化する。
【００２０】
本発明のそれ以上の目的および特徴は、以下の詳細な説明および図面の記載によって明らかになる。本発明の特徴は、それ単独で、あるいは可能な限り種々な組み合わせで複合して採用することができる。
【発明の効果】
【００２１】
本発明の環境雰囲気改善機の１つの特徴によれば、小型な本体内で負イオンを効率よく多量に発生させて対象環境雰囲気中に供給できるので対象環境雰囲気の負イオンによる高い改善効果が得られる。また、噴射水が粒の粗いまま直接排気されることによるまわりや対象環境雰囲気のべたつきを防止することができる。しかも、水回りが本体の下部に位置して本体上部の電気装備に水が及びにくくしながら、取り扱いを複雑化しない水気への対応ができ、お手入れも簡単なものとなる。従って、家庭などでも水回りの問題なく簡単に取り扱いお手入れして使用することができる。
【００２２】
本発明の環境雰囲気改善機の他の特徴によれば、１つの特徴の場合に加え、さらに、少なくとも噴射水を特別な電気装備なく水回り範囲にて気化させてそれによる蒸気を対象環境雰囲気中に供給する加湿しての改善が図れる。
【００２３】
気化促進部材が、着脱できる、さらなる構成によれば、
負イオン、気化蒸気を供給する改善モードと、負イオンを供給する改善モードとを、季節や希望によって選択し使用できる。しかも、気化促進部材は汚れやすくても着脱により丸洗いや交換ができ、メンテナンスに便利である。
【００２４】
ノズルの噴射域を囲い、ファンによる通風の導入口を下部に、通風の導出口を上部に有した噴射室を備え、この噴射室の導出口に、この導出口との間に通風の導出通路を残して、前記衝突部材を設けた、さらなる構成によれば、
噴射水および噴射水雰囲気の広がりを限られた空間内に抑えて本体のさらなる小型化を図りながら、吸引、排気される対象環境雰囲気への噴射水雰囲気の高い随伴率と随伴の均等化により改善効果をさらに高められる。しかも、噴射水のファン側へのバイパスとそれによるまわりへの影響をより防止しやすくなる。
【００２５】
衝突部材が、導出口の大きさにほぼ等しいか、それよりも大きく、導出口の下に位置して導出口との上下間で導出通路を形成している、さらなる構成によれば、
噴射水の噴射勢力によるファン側へのバイパス経路を断って、噴射水のファン側へのバイパスとそれによるまわりへの影響を確実に防止することができる。
【００２６】
気化促進部材が、噴射室内周と衝突部材との間の環状空間にある、さらなる構成によれば、
噴射水などを特別な電気装備なしに効率よく気化および対象環境雰囲気の排気に乗じさせて、加湿による改善効果を高められる。
【００２７】
本体が上下部材に分割され、ファンが上部材に、ノズルが下部材にそれぞれ設けられている、さらなる構成によれば、
水回りを持った下部材を電気装備を持った上部材から切り離して単独に取り扱い、電気装備に関係なく丸洗いなどすることができ、メンテナンスに便利であり、汚れやすい水回りを清潔に保ちやすい。
【００２８】
衝突部材、気化促進部材、噴射室は下部材にある、さらなる構成によれば、
これら水回り部品を下部材側で丸洗いなどでき、水回り全体のメンテナンスに便利であり、清潔に保ちやすい。
【００２９】
噴射域下の貯水パンにノズルを装備した水回りユニットを、下部材に対し着脱できるように設けた、さらなる構成によれば、
水回りの最下部にて、水回りにて取り扱い発生するあらゆる水気を受けて処理またはおよび利用しやすくなり、水回りの電気装備部などまわりへの影響を防止し、水回りユニットの一体化を含め扱いやすいものとなる。
【００３０】
噴射域下の貯水パンにノズルと貯水パンから吸水を図るポンプとを装備した水回りユニットを、下部材に対し着脱できるように設け、ポンプと下部材に設けた駆動モータとに前記着脱に伴い互いが断接する断接カップリングを備えた、さらなる構成によれば、
前記の水回りユニットの場合に加え、さらに、ポンプをもノズルとともに備えながら一体化により部品点数を少なくして取り扱いやすくすると共に、貯水パンからの短く簡単なポンプ配管によってノズルに給水し噴射させられる。特に、ポンプの駆動モータは下部材側で、水回りユニットの貯水パンによって水回り側から隔絶して水が及んだりするのを防止しながら、水回りユニットは駆動モータを下部材側に残して単独で取り外して丸洗いなどでき、清潔に保ちやすい。
【００３１】
水回りユニットは吸水タンクとの接続部を本体外に臨んで有している、さらなる構成によれば、
水回りユニットは本体外から簡単に接続できる給水タンクから直接給水を受けてポンプに供給することができるので、ポンプへの給水構造が簡略化する。
【発明を実施するための最良の形態】
【００３２】
以下、本発明に係る環境雰囲気改善機の実施の形態につき、図１〜図３を参照しながら説明する。以下の説明は本発明の具体例であって、特許請求の範囲の記載を限定するものではない。
【００３３】
本実施の形態は図１に示すように、負イオン１と蒸気２とを発生させて、これらを対象環境雰囲気３中に供給して対象環境雰囲気３を改善する加湿機とした場合を示している。しかし、本発明はこれに限られることはなく、加湿機能を省略したものとすることもできる。
【００３４】
具体的には図１に示すように、本体５内の上部にファン６を、下部に上向きに水７を噴射するノズル８を、これらファン６およびノズル８の間の、ファン６による対象環境雰囲気３を吸引した後対象環境雰囲気３中に排気する通風径路９の途中に、ノズル８からの噴射水１１を衝突させる衝突部材１２をそれぞれ設けてある。また、これに加え、ノズル８の噴射域１３まわりで少なくとも噴射水１１を吸収またはおよび付着させてファン６による通気や通風１４に曝して気化を図る気化促進部材１５を備えている。これらにより、水７の噴射、衝突による分裂で生じた負イオン１を含む噴射水雰囲気１６ととも噴射水１１が気化した蒸気２をファン６により対象環境雰囲気３中に吹き出させて、対象環境雰囲気３に負イオン１と蒸気２とを供給して改善するようにしている。
【００３５】
以上のようなノズル８からの噴射水１１は、噴射時の分裂や衝突部材１２などに衝突して再分裂する際にまわりの空気との間で、自身は正イオン化し、空気が負イオン化する。いわゆるレナード効果である。このノズル８からの噴射水１１まわりの雰囲気、つまり噴射水雰囲気１６は多くの微細な負イオン化空気を含んでファン６により本体５外に排気される。これにより、本体５外のまわりの対象環境雰囲気３中に負イオンを分散させ、環境の浄化や人、動植物などの健康を促進することができる。
【００３６】
また、気化促進部材１５は上記のように着脱することができる。図１に示す気化促進部材１５を装着した使用状態では、ファン６による噴射水雰囲気１６の排気に随伴せず付着する粒の大きな噴射水１１を、ファン６により吸引し排気する対象環境雰囲気３の通風１４に曝すことにより気化させて、それによる蒸気２を本体５外への排気に供する。これにより、蒸気２を本体５外のまわりの対象環境雰囲気３中に分散させて加湿することができる。また、気化促進部材１５を取り外した不使用状態では、それによる噴射水１１の気化の促進機能を発揮しないので、前記加湿を行わせないようにすることができる。つまり、非加湿状態にて負イオン化空気を発生させ、排気２１に乗じさせることができる。従って、加湿に向かない時期や地域、場所、用途では、加湿機能を省略することで対応して、負イオン発生機能だけを生かし、家庭などで一年を通し汎用できるものとなる。
【００３７】
気化促進部材１５は前記のように噴射水１１を付着させて気化を促進するもので、周壁１５ａの内周に多数の放射状のフィン１５ｂを一体に有したものとして、噴射水１１を付着させ通風１４に曝す面積を多くして、気化促進機能を高めている。なお、気化促進部材１５は通風１４との接触域をダンパーなどで増減したり、フィン１５ｂの大きさや数の違うものと交換したりすると、加湿度合を調節することができる。また、噴射水１１の量や勢いを変えると負イオン１の発生量とともに加湿度合を変えられる。
【００３８】
本実施の形態では特に、上記したように本体５の下部にてノズル８が上向きに水７を噴射させて衝突部材１２に衝突させていることにより、本体５の下部での衝突部材１２の設置位置にて制限される限られたスペースである噴射域１３にて水７の噴射と高い確度での衝突とを図って水の分裂による負イオン１を効率よく多量に発生させることができる。また、ノズル８の噴射域１３まわりの気化促進部材１５に噴射水１１を付着させてファン６による通風１４に曝して気化させ、微細で通風１４に乗じ易い蒸気２の粒子とすることができる。これら発生した負イオン１および気化した蒸気２は、ファン６により吸引され排気される対象環境雰囲気３の通風１４に乗じた排気２１として対象環境雰囲気３中に供給し対象環境雰囲気３を改善することができる。これに併せ、噴射水１１の衝突部材１２への衝突による噴射水１１のファン６側へのバイパス防止により、噴射水１１が粒の粗いまま直接排気されるようなことを防止するので、本体５のまわりや対象環境雰囲気３がべたついたりすることがない。しかも、ノズル８や水７の噴射域１３を含む水回りが本体５の下部に位置することになり、本体５の上部の駆動モータ２３を含むファン６やそれらの制御部２２などがなす電気装備に水７が及びにくくなる。同時に、水７やその飛沫などの自然な落下や流下、伝い落ちを利用した取り扱いを複雑化しない水気への対応ができる。従って、取り扱いやお手入れも簡単なものとなり、家庭などで水回りの問題がない使用しやすいものとなる。
【００３９】
ノズル８は上水道に接続して水７を供給することでそれを噴射し、また、それによる噴射水１１を衝突部材１２に衝突させて、負イオン１を発生させられる。これによると、電気装備は不要である。本実施の形態では電動ポンプ２４によってノズル８に水７を供給し噴射させるようにしてある。このため、水７の噴射に電動ポンプ２４の種類に応じた駆動モータ２５などの電気装備が必要となる。図示する例では遠心ポンプを採用しているので、駆動モータ２５によって駆動するが、電磁ポンプであれば駆動モータ２５に代わって電磁駆動機構が必要となる。本実施の形態ではこの駆動モータ２５も制御部２２によって駆動制御することになる。制御部２２は本体５の天面に設けた操作パネル２６の内側に操作・制御系基板２７を有し、操作パネル２６での運転の開始や停止の操作に従って動作を開始し、また動作を停止する。操作パネル２６には運転の強弱や動作開始時間を予約したり、動作時間長を設定したりする操作部などが必要に応じて設けられる。運転の強弱は、ファン６またはおよび電動ポンプ２４の運転速度の強弱によって調節できる。
【００４０】
なお、電動ポンプ２４が遠心ポンプであることによって電磁ポンプのように高い給水圧
は得にくい。そこで、本実施の形態ではノズル８を図１、図２に示すようなシャワータイプのものとし、噴出口８ａの総開口面積が電動ポンプ２４の吐出口２４ａの開口面積にほぼ等しいかそれ以上として低圧にても噴射水１１が得られるようにし、電動ポンプ２４の容量が徒に大きくならないようにしている。
【００４１】
気化促進部材１５は、本体５を例えば図１、図３に示すように合成樹脂製の上部材５ａと下部材５ｂとに分割できるようにするなどして、本体５に対して着脱できるようにしている。これにより、気化促進部材１５を用いて負イオン１に加え気化蒸気２をも供給する改善機能と、気化促進部材１５を取り外して気化蒸気２の供給を省略した改善機能との２つのモードを選択した使用ができる。しかも、気化促進部材１５は気化促進のために採る既述したような多面構造などによって汚れやすいが、着脱により丸洗いや交換ができる。もっとも、気化促進部材１５は図１に仮想線で示すように、噴射水１１を受けて吸収し、またはおよび本体５内の貯水７ａに浸漬させて吸収させるなどし、それにファン６による通気を図って気化させることもでき、このような気化促進部材１５はさらに汚れやすく着脱によりメンテしやすくするのが好適となる。このような水７を吸収しての気化促進によるとノズル８による噴射は必須とならないので、ノズル８による噴射を省略した加湿のみの省エネ運転も可能となる。
【００４２】
本体５内には図１に示すように、ノズル８の噴射域１３を囲い、ファン６による通風１４の導入口３１ａを下部に、通風１４の導出口３１ｂを上部に有した噴射室３１を備え、この噴射室３１の導出口３１ｂ部に、この導出口３１ｂとの間に通風１４の導出通路３１ｃを残して、前記衝突部材１２を設けている。これにより、噴射水１１および噴射水雰囲気１６の広がりを噴射室３１による限られた空間内に抑えて、ファン６により吸引され排気される対象環境雰囲気３が通風１４として通ることで、噴射雰囲気１６の随伴率を高められるし、同時に、ほぼ均等に随伴させられる。従って、発生する負イオン１を対象環境雰囲気３中に効率よくむらなく供給することができる。しかも、衝突部材１２が噴射室３１の導出口３１ｂとの間の導出通路３１ｃを噴射室３１よりも狭めることにより、噴射水１１のファン６側へのバイパスをより防止しやすくなる。
【００４３】
また、気化促進部材１５が図１に示すように、噴射室３１の内周と衝突部材１２との間の環状空間にあり、噴射室３１内に導入口３１ａから吸引された対象環境雰囲気３が導出口３１ｂへ向かう通風１４の経路に位置することで、負イオン１の場合同様に、噴射室３１による限られた空間内で、付着させた噴射水１１などをファン６による通風１４に確実に曝せるので効率よく気化させ、対象環境雰囲気３の通風１４にほぼ均等に乗じさせやすい。従って、気化する蒸気２を対象環境雰囲気３中に効率よくむらなく供給することができる。
【００４４】
本実施の形態での衝突部材１２は、さらに、図１に示すように導出口３１ｂの大きさにほぼ等しいか、それよりも大きいものとし、導出口３１ｂの下に位置することにより導出口３１ｂとの上下間で前記した導出通路３１ｃを形成している。これにより、衝突部材１２と噴射室３１の導出口３１ｂとが、噴射水１１の噴射勢力によるファン６側へのバイパス経路を断つので、噴射水１１のファン６側へのバイパスを確実に防止することができる。なお、衝突部材１２は基本的に噴射水１１との衝突面１２ａを持ったものであればよく、図示する例では板状のものとして、噴射室３１と一体の合成樹脂部材としてあり、噴射室３１まわりがかさ張らない形態としている。気化促進部材１５の周壁１５ａは噴射室３１の周壁３１ｄの内側に着脱できるように嵌め合わせてあり、噴射室３１とともに本体５から着脱でき、噴射室３１との間でも分離できるようにしている。これによって、気化促進部材１５を用いない使用状態も簡単に採れる。
【００４５】
また、図１に示すように本体５の上記のように分割された上部材５ａには駆動モータ２３を含めたファン６を制御部２２とともに設け、下部材５ｂにはノズル８を衝突部材１２、噴射室３１、気化促進部材１５、電動ポンプ２４を含む水回りを設けてある。これにより、水回りを持った下部材５ｂをファン６の駆動やその制御のために電気装備を持った上部材５ａから切り離して取り扱えるので、電気装備に関係なく衝突部材１２、気化促進部材１５、噴射室３１などを含め丸洗いすることができ、汚れやすい水回りのメンテに便利であり清潔に保ちやすい。
【００４６】
また、ノズル８および電動ポンプ２４は、噴射域１３下の合成樹脂製の貯水パン３２に一体に備えて水回りユニット３３を構成して下部材５ｂに対し着脱できるように設け、電動ポンプ２４は貯水パン３２における前記した貯水７ａを給水して水７を噴射できるようにしている。また、電動ポンプ２４と下部材５ｂに設けた駆動モータ２５とに前記着脱に伴い互いが断接する断接カップリング３４を備えたものとしている。断接カップリング３４はマグネットと磁性部材とを対向させるなどした磁気カップリングとしてあるが、機械的な凹凸係合により断接するクラッチなどでもよい。
【００４７】
このような水回りユニット３３は、図１に示すように噴射域１３下の貯水パン３２が水回りの最下部材をなして上側の水回りにて取り扱い発生するあらゆる水気を受けてまわりへの影響なく使用またはおよび処理できるようにすることができる。しかも、ノズル８は上水道との接続によって電気装備なしに水の噴射ができるものの、電動ポンプ２４をもノズル８とともに備えて、本体５、特に下部材５ｂに対して一体に着脱できるようにして取り扱い部品点数を少なくしている。同時に、電動ポンプ２４は貯水パン３２から吸水することにより、引き回しが短く簡単な配管３５によってノズル８に給水し噴射させられるので、これも本体５の小型化に貢献する。特に、電動ポンプ２４を駆動するために必要となる駆動モータ２５は下部材５ｂ側にあって、電動ポンプ２４とは、貯水パン３２の下部材５ｂに対する着脱に伴い、断接カップリング３４によって断接させるので、水回りユニット３３の貯水パン３２によって水回り側から駆動モータ２５側の電気装備を隔絶して貯水７ａを含む水７が及んだりするのを防止しながら、水回りユニット３３は電気装備を下部材５ｂ側に残して単独に取り外し丸洗いなどできる。従って、水回りの最下部をなして水受けや貯水機能を発揮して、水垢の付着、堆積などで汚れやすいものであっても、メンテナンスが容易で清潔に保ちやすい。
【００４８】
また、水回りユニット３３は図１に示すように給水タンク３６との接続部３７を本体５外に臨んで有している。これにより、水回りユニット３３は本体５外から貯水パン３２に接続した給水タンク３６から直接給水を受けて貯水し電動ポンプ２４に供給することができ、電動ポンプ２４への給水構造が簡略化する。
【００４９】
本実施の形態について、さらに詳しく説明すると、本体５は給水タンク３６と共に直方体形状をなし、下部材５ｂに対して、上部材５ａおよび給水タンク３６が図１、図３に示すように上方から着脱できるように嵌め合わせるようにしてある。上部材５ａはその底部５ａ１が下部材５ｂの上端に図１に示すような印籠嵌め構造にて嵌り合い、位置決めされ、所定高さに保たれる。下部材５ｂの接続部３７には給水タンク３６からの給水が貯水パン３２に流れ込むようにする受水皿３２ｂを有している。給水タンク３６は図１に示すような逆さの状態で接続部３７に嵌まり合って受止められ、給水状態に安定する。
【００５０】
給水タンク３６の前記給水状態では、給水タンク３６の下向きとなった給排口３６ａに装着した蓋３８に有する弁３９が、受水皿３２ｂ側の突起４１によってばね４２の閉じ力に抗し上方へ押し開かれ、蓋３８の給水口３８ａを開いている。これにより、給水タンク３６内の水７は給水口３８ａを通じ受水皿３２ｂに流れ込み貯水パン３２内に拡がり貯水７ａとなる。貯水パン３２の貯水７ａが給水口３８ａの高さに達してそれを図１に示すように塞ぐと、給水タンク３６内に外気が入り込めなくなって給水タンク３６内の水７が流れ出なくなる。以降、貯水７ａが消費されて給水口３８ａが開かれる都度給水が再開し、給水口３８ａが閉じられる都度給水が停止することを繰り返し、給水タンク３６内に水７がある間、貯水７ａは一定の水位に保たれる。給水タンク３６の上向き部分には取っ手３６ａが設けられていて、本体５から着脱したり持ち運んだり、水７を給排したりしやすい。
【００５１】
ファン６は上部材５ａの最上部に取り付けた駆動モータ２３の下側に直結された羽根車６ａと、吸気口６ｂが下向きに開口し、前記羽根車６ａを吸気口６ｂと同心となるように収容したファンケーシング６ｃとよりなり、ファンケーシング６ｃの排気口６ｄは上部材５ａの天面に給水タンク３６との隣接位置に設けた排気口６ｆに接続されている。噴射室３１とファン６との間には本体５内を上下に２分する仕切り壁４５が上部材５ａの底部として設けられている。仕切り壁４５には上部材５ａ内のファン６の吸気口６ｂと下部材５ｂ内の噴射室３１の導出口３１ｂとを接続する連通口４５ａを有し、吸気口６ｂおよび導出口３１ｂ間で通風１４やそれに乗じている負イオン１、蒸気２が外まわりに逃げるのを防止し、また本体５内に吸引した対象環境雰囲気３が直接進入するのを防止している。上部材５ａの給水タンク３６の装着側とは反対の側にファン６による吸気口６ｇを有し、この吸気口６ｇからフィルタ４６を通じ吸引される対象環境雰囲気３が、前記仕切り壁４５の連通口４５ａのまわりに設けた連通口４５ｂを経て下部材５ｂ内の噴射室３１の外まわりに流入した後、導入口３１ａから噴射室３１内に入り通風１４となって噴射室３１内を抜け導出口３１ｂからファン６に吸引され、排気口６ｆから本体５外の対象環境雰囲気３中に排気されるようにする。特に、噴射室３１の導入口３１ａはノズル８とほぼ等しいかそれよりも低く位置し、噴射雰囲気１６を死角なく随伴させられる。以上のような駆動モータ２３が本体５の最上位置となり、ファン６のケーシングおよび仕切り壁４５によって下部材５ｂ側の水回りから隔絶され、しかも、蒸気２や噴射雰囲気１６から隔絶されるので、水７はもとより湿気の影響からも保護されやすい。
【００５２】
噴射室３１は貯水パン３２の位置決め凹部４７にスペーサリブ４８を介し隙間を残して着脱できるように上方から嵌め合わされるとともに、導出口３１ｂが仕切り壁４５の連通口４５ａとも着脱できるように嵌め合わされて、互いが位置決めされる。電動ポンプ２４は貯水パン３２の底部下面に取り付けられ、電動ポンプ２４の吐出口２４ａに接続した配管３５は貯水パン３２の底部下から前記位置決め凹部４７のほぼ中心から貯水パン３２上に立ち上がり、その上端にノズル８を接続して噴射室３１と同心位置にあるようにしている。
【００５３】
図３に示すように、上部材５ａおよび下部材５ｂを分割し、水回りユニット３３を単独に、あるいは噴射室３１などと共に取り出して載置するような場合、配管３５が邪魔になる。そこで、水回りユニット３３の貯水パン３２の底部に配管３５よりも下に延びる脚壁３２ａを一体形成し、この脚壁３２ａによって配管３５の邪魔なしに水回りユニット３３を載置できるようにしている。また、下部材５ｂの底部などに取り付けている駆動モータ２５は電気まわりを封止するシール構造を採用しておけば下部材５ｂの水洗いが可能となる。もっとも、本体５の上下部材５ａ、５ｂどうしの着脱には、この着脱に伴い双方の電気まわりを断接するコネクタ部を設ける必要があるが、ここでは特に図示しない。
【００５４】
なお、駆動モータ２５は下部材５ｂの底部の立ち上がり周壁５１の上端に取り付けてあり例え下部材５ｂの底部上に水７が入るようなことがあっても、立ち上がり周壁５１により下部材５ｂの底部よりも設置高さを高くしている分だけ、冠水しにくくなっている。また、貯水パン３２の脚壁３２ａは駆動モータ２５の設置位置を外まわりから囲っているので、万一にも下部材５ｂの底部上に水７が落ちるようなことがあっても、駆動モータ２５の上に直接落ちたり、伝い落ちたりするのを防止することができる。
【００５５】
なお、上部材５ａもその仕切り壁４５、ファンケーシング６ｃや羽根車６ａも分離できるようにするとメンテナンスに有利である。
【産業上の利用可能性】
【００５６】
本発明は家庭用の負イオン発生機や加湿機として有効であって、産業上の利用性はもとより個人の健康増進に寄与することができる。
【図面の簡単な説明】
【００５７】
【図１】本発明の実施例に係る環境雰囲気改善機の１つの例を示す長手方向で見た断面図。
【図２】図１の環境雰囲気改善機のノズルの正面図。
【図３】図１の環境雰囲気改善機を個々の部分に分解した状態を示す断面図。
【符号の説明】
【００５８】
１  負イオン
２  蒸気
３  対象環境雰囲気
５  本体
５ａ  上部材
５ｂ  下部材
６  ファン
７  水
７ａ  貯水
８  ノズル
９  通風経路
１１  噴射水
１２  衝突部材
１３  噴射域
１４  通風
１５  気化促進部材
１６  噴射水雰囲気
２１  排気
２２  制御部
２３、２５  駆動モータ
２４  電動ポンプ
３０  貯水皿
３１  噴射室
３１ａ  導入口
３１ｂ  導出口
３２  貯水パン
３３  水回りユニット
３４  断接カップリング
３５  配管
３６  給水タンク
【図１】
2005055065.tif 000003
【図２】
2005055065.tif 000004
【図３】
2005055065.tif 000005